(57)【特許請求の範囲】
【請求項１】
免震装置の周囲に配して免震装置を耐火構造とするための耐火装置であって、免震装置の上方部周囲を取り囲むための上部耐火枠装置と、免震装置の下方部周囲を取り囲むための下部耐火枠装置と、上部耐火枠装置と下部耐火枠装置との間に介在されて、免震装置の中間部周囲を取り囲むための中間部耐火枠装置とを具備しており、中間部耐火枠装置は、免震装置の上部取り付けフランジ及び下部取り付けフランジ間の積層ゴム体の周面に接触するための内周面を有しており、中間部耐火枠装置の上端面及び下端面のそれぞれは、上部耐火枠装置の下端面及び下部耐火枠装置の上端面のそれぞれに互いに水平方向に摺動自在に接触しており、上部耐火枠装置、下部耐火枠装置及び中間部耐火枠装置の少なくとも一つの装置は、少なくとも二分割可能となるように、複数の分割体で構成されており、当該複数の分割体で構成された少なくとも一つの装置は、これらの分割体を連結する連結手段と、連結部の隙間を封止する封止手段とを具備しており、連結手段は、一の分割体の一方の端面に一体的に形成された鈎部と、一の分割体の一方の端面に対面する他の一の分割体の一方の端面に形成されており、鈎部が嵌合された凹所とを具備している耐火装置。
【請求項２】
封止手段は、一の分割体の内面に固着されており、連結部の隙間を越えて、当該一の分割体に隣接する他の一の分割体の内周面まで延びた封止板と、この封止板の端面に対面した端面を有して、他の一の分割体の内周面に固着された固定板と、封止板と固定板とのそれぞれの端面間に圧縮されて配された弾性部材とを具備している請求項１に記載の耐火装置。
【請求項３】
免震装置の周囲に配して免震装置を耐火構造とするための耐火装置であって、免震装置の上方部周囲を取り囲むための上部耐火枠装置と、免震装置の下方部周囲を取り囲むための下部耐火枠装置と、上部耐火枠装置と下部耐火枠装置との間に介在されて、免震装置の中間部周囲を取り囲むための中間部耐火枠装置とを具備しており、中間部耐火枠装置は、免震装置の上部取り付けフランジ及び下部取り付けフランジ間の積層ゴム体の周面に接触するための内周面を有しており、中間部耐火枠装置の上端面及び下端面のそれぞれは、上部耐火枠装置の下端面及び下部耐火枠装置の上端面のそれぞれに互いに水平方向に摺動自在に接触しており、上部耐火枠装置、下部耐火枠装置及び中間部耐火枠装置の少なくとも一つの装置は、少なくとも二分割可能となるように、複数の分割体で構成されており、当該複数の分割体で構成された少なくとも一つの装置は、これらの分割体を連結する連結手段と、連結部の隙間を封止する封止手段とを具備しており、封止手段は、一の分割体の内面に固着されており、連結部の隙間を越えて、当該一の分割体に隣接する他の一の分割体の内周面まで延びた封止板と、この封止板の端面に対面した端面を有して、他の一の分割体の内周面に固着された固定板と、封止板と固定板とのそれぞれの端面間に圧縮されて配された弾性部材とを具備している耐火装置。
【請求項４】
中間部耐火枠装置は、内周面の中央部に積層ゴム体に向かって突出したフランジを一体的に有した中空枠体を具備している請求項１から３のいずれか一項に記載の耐火装置。
【請求項５】
中間部耐火枠装置は、中空枠体の上端面に固着された弾性体と、この弾性体の上面に固着された低摩擦部材とを具備しており、この低摩擦部材の上面が、中間部耐火枠装置の上端面として、上部耐火枠装置の下端面に水平方向に摺動自在に接触している請求項４に記載の耐火装置。
【請求項６】
中間部耐火枠装置は、中空枠体の下端面に固着された弾性体と、この弾性体の下面に固着された低摩擦部材とを具備しており、この低摩擦部材の下面が、中間部耐火枠装置の下端面として、下部耐火枠装置の上端面に水平方向に摺動自在に接触している請求項４又は５に記載の耐火装置。
【請求項７】
中間部耐火枠装置は、フランジの内周面に固着された弾性体を具備しており、この弾性体の内周面が、積層ゴム体の周面に接触するための内周面を構成している請求項４から６のいずれか一項に記載の耐火装置。
【請求項８】
免震装置の周囲に配して免震装置を耐火構造とするための耐火装置であって、免震装置の上方部周囲を取り囲むための上部耐火枠装置と、免震装置の下方部周囲を取り囲むための下部耐火枠装置と、上部耐火枠装置と下部耐火枠装置との間に介在されて、免震装置の中間部周囲を取り囲むための中間部耐火枠装置とを具備しており、中間部耐火枠装置は、免震装置の上部取り付けフランジ及び下部取り付けフランジ間の積層ゴム体の周面に接触するための内周面を有しており、中間部耐火枠装置の上端面及び下端面のそれぞれは、上部耐火枠装置の下端面及び下部耐火枠装置の上端面のそれぞれに互いに水平方向に摺動自在に接触しており、中間部耐火枠装置は、内周面の中央部に積層ゴム体に向かって突出したフランジを一体的に有した中空枠体を具備している耐火装置。
【請求項９】
上部耐火枠装置、下部耐火枠装置及び中間部耐火枠装置の少なくとも一つの装置は、少なくとも二分割可能となるように、複数の分割体で構成されており、当該複数の分割体で構成された少なくとも一つの装置は、これらの分割体を連結する連結手段と、連結部の隙間を封止する封止手段とを具備している請求項８に記載の耐火装置。
【請求項１０】
中間部耐火枠装置は、中空枠体の上端面に固着された弾性体と、この弾性体の上面に固着された低摩擦部材とを具備しており、この低摩擦部材の上面が、中間部耐火枠装置の上端面として、上部耐火枠装置の下端面に水平方向に摺動自在に接触している請求項８又は９に記載の耐火装置。
【請求項１１】
中間部耐火枠装置は、中空枠体の下端面に固着された弾性体と、この弾性体の下面に固着された低摩擦部材とを具備しており、この低摩擦部材の下面が、中間部耐火枠装置の下端面として、下部耐火枠装置の上端面に水平方向に摺動自在に接触している請求項８から１０のいずれか一項にに記載の耐火装置。
【請求項１２】
中間部耐火枠装置は、フランジの内周面に固着された弾性体を具備しており、この弾性体の内周面が、積層ゴム体の周面に接触するための内周面を構成している請求項８から１１のいずれか一項に記載の耐火装置。
【請求項１３】
上部耐火枠装置は、中空枠体と、この中空枠体の下端面に固着された弾性体と、この弾性体の下面に固着された低摩擦部材とを具備しており、この低摩擦部材の下面が、上部耐火枠装置の下端面として、中間部耐火枠装置の上端面に水平方向に摺動自在に接触している請求項１から１２のいずれか一項に記載の耐火装置。
【請求項１４】
下部耐火枠装置は、中空枠体と、この中空枠体の上端面に固着された弾性体と、この弾性体の上面に固着された低摩擦部材とを具備しており、この低摩擦部材の上面が、下部耐火枠装置の上端面として、中間部耐火枠装置の下端面に水平方向に摺動自在に接触している請求項１から１３のいずれか一項に記載の耐火装置。
【請求項１５】
請求項１から１４のいずれか一項に記載の耐火装置によって耐火構造にされた免震装置。
【請求項１６】
請求項１５に記載の免震装置によって支持された構造物。
【発明の詳細な説明】
【０００１】
【発明の属する技術分野】
本発明は、地震等の振動を構造物に伝達させず、地震等による構造物の振動エネルギを減衰させるように構造物を支持する免震装置を耐火構造にするための耐火装置に関する。
【０００２】
【発明が解決しようとする課題】
この種の免震装置は、上部取り付け用のフランジと下部取り付け用のフランジとの間に介在された積層ゴム体を具備しており、基礎等の下部構造物と建物等の上部構造物との間に配されて上部構造物を免震支持する。
【０００３】
免震装置の積層ゴム体は、通常、ゴム層と鋼板等からなる補強層とが交互に配されてなるため、火災等でそれが加熱されると、ゴム層が焼失されたり変形したりして、構造物をまともに支持し得なくなる虞がある。
【０００４】
このため特許第２６０８１８６号掲載公報等においてこの種の耐火免震装置が提案されており、この提案に係る耐火免震装置は、アイソレータとこのアイソレータの外周を取り囲む上下耐火壁とを具備し、上耐火壁が構造物に、下耐火壁が基礎にそれぞれ固着されてなるものであるが、かかる耐火免震装置では、アイソレータの最大横変形寸法の２分の１以上アイソレータから離間して上下耐火壁を設置しなければならないため、基礎上に比較的大きな設置領域を必要とする。また、上下耐火壁の互いに対向する耐火壁の厚みをアイソレータの最大横変形寸法以上に設定する必要があり、これによっても、基礎上に比較的大きな設置領域を必要とする上に、上下耐火壁の重量が増し、基礎と構造物との間の狭い空間でのその設置作業及びアイソレータの交換時のその除去作業が極めて困難となる。
【０００５】
本発明は、前記諸点に鑑みてなされたものであって、その目的とするところは、占有領域を小さくして免震装置の周りに配置することができ、設置作業及び除去作業を容易に行うことができる免震装置のための耐火装置及びこの耐火装置により耐火構造とされた免震装置並びにこの免震装置によって支持された構造物を提供することにある。
【０００６】
【課題を解決するための手段】
免震装置の周囲に配して免震装置を耐火構造とするための本発明の耐火装置は、免震装置の上方部周囲を取り囲むための上部耐火枠装置と、免震装置の下方部周囲を取り囲むための下部耐火枠装置と、上部耐火枠装置と下部耐火枠装置との間に介在されて、免震装置の中間部周囲を取り囲むための中間部耐火枠装置とを具備しており、中間部耐火枠装置は、免震装置の上部取り付けフランジ及び下部取り付けフランジ間の積層ゴム体の周面に接触するための内周面を有しており、中間部耐火枠装置の上端面及び下端面のそれぞれは、上部耐火枠装置の下端面及び下部耐火枠装置の上端面のそれぞれに互いに水平方向に摺動自在に接触している。
【０００７】
本発明において、上部耐火枠装置、下部耐火枠装置及び中間部耐火枠装置の少なくとも一つの装置は、少なくとも二分割可能となるように、複数の分割体で構成されており、当該複数の分割体で構成された少なくとも一つの装置は、これらの分割体を連結する連結手段と、連結部の隙間を封止する封止手段とを具備している。本発明の連結手段は、一の分割体の一方の端面に一体的に形成された鈎部と、一の分割体の一方の端面に対面する他の一の分割体の一方の端面に形成されており、鈎部が嵌合された凹所とを具備しており、封止手段は、一の分割体の内面に固着されており、連結部の隙間を越えて、当該一の分割体に隣接する他の一の分割体の内周面まで延びた封止板と、この封止板の端面に対面した端面を有して、他の一の分割体の内周面に固着された固定板と、封止板と固定板とのそれぞれの端面間に圧縮されて配された弾性部材とを具備している。
【０００８】
本発明では、上部耐火枠装置は、中空枠体と、この中空枠体の下端面に固着された弾性体と、この弾性体の下面に固着された低摩擦部材とを具備しており、低摩擦部材の下面が、上部耐火枠装置の下端面として、中間部耐火枠装置の上端面に水平方向に摺動自在に接触している。また本発明では、下部耐火枠装置は、中空枠体と、この中空枠体の上端面に固着された弾性体と、弾性体の上面に固着された低摩擦部材とを具備しており、低摩擦部材の上面が、下部耐火枠装置の上端面として、中間部耐火枠装置の下端面に水平方向に摺動自在に接触している。
【０００９】
本発明における中間部耐火枠装置は、内周面の中央部に積層ゴム体に向かって突出したフランジを一体的に有した中空枠体を具備している。中間部耐火枠装置が中空枠体を具備する本発明の耐火装置の場合、中間部耐火枠装置は、中空枠体の上端面に固着された弾性体と、この弾性体の上面に固着された低摩擦部材とを具備しており、この低摩擦部材の上面が、中間部耐火枠装置の上端面として、上部耐火枠装置の下端面に水平方向に摺動自在に接触しており、またこれに代えて又はこれと共に、中間部耐火枠装置は、中空枠体の下端面に固着された弾性体と、この弾性体の下面に固着された低摩擦部材とを具備しており、この低摩擦部材の下面が、中間部耐火枠装置の下端面として、下部耐火枠装置の上端面に水平方向に摺動自在に接触している。
【００１０】
上記の各中空枠体は、角（四角）筒状であっても、円筒状であってもよく、これの端面形状に対応して、各弾性体及び低摩擦部材は形成される。
【００１１】
上部耐火枠装置、下部耐火枠装置及び中間部耐火枠装置のいずれもが、上記の弾性体及び低摩擦部材を具備して構成されていてもよく、要は、免震装置の免震機能を十分に発揮させることができるように、中間部耐火枠装置に対して上部耐火枠装置及び下部耐火枠装置が水平方向に容易に相対移動することができ、しかも、上部構造物及び下部構造物との間並びに相互間に隙間が生じないようにして、上部耐火枠装置、中間部耐火枠装置及び下部耐火枠装置を高さ方向（垂直方向）に積み重ねて上部構造物と下部構造物との間で免震装置を取り囲んで配置することができるように、上記の弾性体及び低摩擦部材が設けられていればよい。
【００１２】
また本発明では、中間部耐火枠装置は、フランジの内周面に固着された弾性体を具備しており、この弾性体の内周面が積層ゴム体の周面に接触するための内周面を構成している。フランジは、積層ゴム体の周りで連続して形成されている必要はなく、飛び飛びに断続的に形成されていてもよい。積層ゴム体が円柱状に形成される場合には、フランジの先端の周面に固着された弾性体は、円環状であるのが好ましい。
【００１３】
本発明によれば、更に、上記耐火装置により耐火構造にされた免震装置が提供される。本免震装置は、一つの例では、上部取り付け用のフランジと下部取り付け用のフランジとの間に介在された積層ゴム体を具備しており、積層ゴム体は、ゴム層と鋼板等等からなる補強層とが交互に配されてなる。上部取り付け用のフランジと下部取り付け用のフランジとはそれぞれ、円盤状であってよく、これに代えて、矩形状（四角）状であってもよい。積層ゴム体は、通常、円柱状に形成されてなるが、これに必ずしも限定されない。積層ゴム体の内部には、振動減衰体としての鉛支柱が封入されてもよく、鉛支柱は、一個でもよいが、複数個配されていてもよい。
【００１４】
また本発明によれば、耐火構造にされた免震装置によって免震支持された構造物が提供される。本構造物としては、一般の家屋、集合住宅（いわゆるマンション）、事務所用のビル、橋、高速道路等を一例として挙げることができる。
【００１５】
【発明の実施の形態】
次に本発明の実施の形態を、図に示す好ましい実施例に基づいて更に詳細に説明する。なお、本発明はこれら実施例に何等限定されないのである。
【００１６】
【実施例】
図１から図１０において、本例の免震装置１の周囲に配して免震装置１を耐火構造とするための耐火装置２は、免震装置１の上方部周囲を、当該上方部との間で断熱空間３を形成するように取り囲むための上部耐火枠装置４と、免震装置１の下方部周囲を、当該下方部との間で断熱空間５を形成するように取り囲むための下部耐火枠装置６と、上部耐火枠装置４と下部耐火枠装置６との間に介在されて、免震装置１の中間部周囲を、当該中間部との間で断熱空間７を形成するように取り囲むための中間部耐火枠装置８とを具備している。
【００１７】
免震装置１は、円盤状の上部及び下部取り付け用のフランジ１１及び１２と、これら両フランジ１１及びフランジ１２の間に介在された円柱状の積層ゴム体１３とを具備しており、積層ゴム体１３は、天然ゴム等からなるゴム層１４と鋼板等からなる補強層１５とが交互に積層されてなり、この積層体の中央に振動エネルギ吸収体としての円柱状の鉛支柱１６を有している。
【００１８】
上部耐火枠装置４は、フランジ１１の周面２１の四箇所で接触する内周面２２を有した中空枠体２３と、中空枠体２３の下端面２４に接着剤等により固着された弾性体２５と、弾性体２５の下面２６に接着剤等により固着された低摩擦部材２７とを具備しており、低摩擦部材２７の下面が、上部耐火枠装置４の下端面２９として、中間部耐火枠装置８の上端面３０に水平方向に摺動自在に接触している。
【００１９】
セラミック等の耐火材からなる中空枠体２３は、特に図３に詳細に示すように、矩形筒部３５と、矩形筒部３５の内周面の下端から一体的に内方に突出された鍔部３６とを具備しており、鍔部３６の内周面３７は、積層ゴム体１３の周面３８と一定の間隔をもって離間して配されるように、円環状に形成されている。矩形筒部３５及び鍔部３６の下面が中空枠体２３の下端面２４を構成しており、下端面２４全体に、セラミックファイバ等の若干弾性を有する耐火材からなる弾性体２５が固着されており、弾性体２５の下面２６全体に、ポリテトラフルオロエチレン樹脂シート等からなる薄い低摩擦部材２７が固着されている。
【００２０】
中空枠体２３、弾性体２５及び低摩擦部材２７のそれぞれは、少なくとも二分割可能となるように、複数の分割体、本例では、それぞれ二分割体である中空枠体２３の半割体２３ａ、２３ｂ、弾性体２５の半割体２５ａ、２５ｂ及び低摩擦部材２７の半割体２７ａ、２７ｂで構成されており、上部耐火枠装置４は、これら分割体を相互に連結する連結手段４１及び４２と、分割体の連結部の隙間４３及び４４を封止する封止手段４５及び４６とを更に具備している。
【００２１】
連結手段４１は、図４に詳細に示すように、半割体２３ａの一方の端面５１に一体的に形成された鈎部５２と、半割体２３ａの一方の端面５１に対面する半割体２３ｂの一方の端面５３に形成されており、鈎部５２が嵌合された凹所５４とを具備している。図４に示すように、凹所５４の開口５５の高さ方向の幅ｄ１は、鈎部５２の高さ方向の幅ｄ２よりも若干広く、したがって端面５１を端面５３に対して若干相対的に上方向にずらして鈎部５２を開口５５を介して凹所５４に押し込むことにより鈎部５２を凹所５４に嵌合することができる。
【００２２】
半割体２３ａ及び２３ｂそれぞれの他方の端面に設けられた連結手段４２は、詳細は図示しないが、連結手段４１と同様に形成されている。連結手段４１及び連結手段４２は、以上のようにして鈎部と凹所との相互の嵌合により半割体２３ａと半割体２３ｂとを相互に連結して、上部耐火枠装置４を形成している。
【００２３】
封止手段４５は、半割体２３ａの内面に固着されて、連結部の隙間４３を越えて、半割体２３ａに隣接する半割体２３ｂの内周面まで延びた封止板６１と、封止板６１の端面に対面した端面を有して、半割体２３ｂの内周面に固着された固定板６２と、封止板６１と固定板６４とのそれぞれの端面間に圧縮されて配された弾性部材６３とを具備している。鈎部５２が凹所５４に嵌合されている際、弾性部材６３は、封止板６１の端面と固定板６２の端面との間において、これらに押圧されて若干圧縮されている。封止手段４５は、連結部の隙間４３を封止板６１により実質的に封止して、隙間４３を介する火気の断熱空間３への進入を阻止する。
【００２４】
他方の連結部の隙間４４を封止するように、半割体２３ａ及び２３ｂの他方の端面側に設けられた封止手段４６は、封止手段４５と同様に構成されており、半割体２３ｂの内面に固着されており、連結部の隙間４４を越えて、半割体２３ｂに隣接する半割体２３ａの内周面まで延びた封止板６５と、封止板６５の端面に対面した端面を有して、半割体２３ａの内周面に固着された固定板６６と、封止板６５と固定板６６とのそれぞれの端面間に圧縮されて配された弾性部材６７とを具備している。封止手段４６は、封止手段４５と同様に、連結部の隙間４４を封止板６６により実質的に封止して、隙間４４を介する火気の断熱空間３への進入を阻止する。
【００２５】
封止板６１及び６５並びに固定板６２及び６６はそれぞれ、中空枠体２３と同様にセラミックのような耐火材からなり、弾性部材６３及び６７は、弾性体２５と同様にセラミックファイバ等の若干弾性を有する耐火材からなる。
【００２６】
下部耐火枠装置６は、上部耐火枠装置４とほぼ同様に構成されており、フランジ１２の周面７１の四箇所で接触する内周面７２を有した中空枠体７３と、中空枠体７３の上端面７４に接着剤等により固着された弾性体７５と、弾性体７５の上面７６に接着剤等により固着された低摩擦部材７７と、中空枠体７３の下端面７８に接着剤等により固着された弾性体７９とを具備しており、低摩擦部材７７の上面が、下部耐火枠装置６の上端面８１として、中間部耐火枠装置８の下端面８２に水平方向に摺動自在に接触している。
【００２７】
セラミック等の耐火材からなる中空枠体７３は、特に図５に詳細に示すように、矩形筒部８５と、矩形筒部８５の内周面から一体的に内方に突出された鍔部８６とを具備しており、鍔部８６の内周面８７は、積層ゴム体１３の周面３８と一定の間隔をもって離間して配されるように、円環状に形成されている。矩形筒部８５及び鍔部８６の上面が中空枠体２３の上端面７４を構成しており、上端面７４全体に、セラミックファイバ等の若干弾性を有する耐火材からなる弾性体７５が固着されており、弾性体７５の上面７６全体に、ポリテトラフルオロエチレン樹脂シート等からなる薄い低摩擦部材７７が固着されており、中空枠体７３の下端面７８の全体にセラミックファイバ等の若干弾性を有する耐火材からなる弾性体７９が固着されている。
【００２８】
中空枠体７３、弾性体７５、低摩擦部材７７及び弾性体７９のそれぞれは、少なくとも二分割可能となるように、複数の分割体、本例では、それぞれ二分割体である中空枠体７３の半割体７３ａ、７３ｂ、弾性体７５の半割体７５ａ、７５ｂ、低摩擦部材７７の半割体７７ａ、７７ｂ及び弾性体７９の半割体７９ａ、７７ｂで構成されており、下部耐火枠装置６は、これら分割体を相互に連結する連結手段９１及び９２と、分割体の連結部の隙間９３及び９４を封止する封止手段９５及び９６とを更に具備している。
【００２９】
連結手段９１及び９２並びに封止手段９５及び９６は、連結手段４１及び４２並びに封止手段４５及び４６と同様に構成されているために、詳細な説明を省略する。
【００３０】
中間部耐火枠装置８は、フランジ１１及び１２間の積層ゴム体１３の周面３８に接触するための内周面１０１を有しており、上部耐火枠装置４の下端面２９と中間部耐火枠装置８の上端面３０とは、互いに水平方向に摺動自在に接触しており、中間部耐火枠装置８の下端面８２と下部耐火枠装置６の上端面８１とは、互いに水平方向に摺動自在に接触している。
【００３１】
中間部耐火枠装置８は、内周面１０５の中央部に積層ゴム体１３に向かって突出したフランジ１０６を一体的に有した中空枠体１０７と、フランジ１０６の環状内周面１０８に固着された環状の弾性体１０９とを具備しており、セラミックファイバ等の若干弾性を有する耐火材からなる弾性体１０９の円環状の内周面が、積層ゴム体１３の周面３８に接触するための内周面１０１を構成している。
【００３２】
セラミック等の耐火材からなる中空枠体１０７は、特に図６に詳細に示すように、矩形筒部１２１と、矩形筒部１２１の内周面の中央から一体的に内方に突出された上記のフランジ１０６と、矩形筒部１２１の内周面の上方から一体的に内方に突出された上鍔部１２２と、矩形筒部１２１の内周面の下方から一体的に内方に突出された下鍔部１２３（図１参照）とを具備しており、上及び下鍔部１２２及び１２３の内周面１２４及び１２５はそれぞれ、積層ゴム体１３の周面３８と一定の間隔をもって離間して配されるように、円環状に形成されている。矩形筒部１２１及び上鍔部１２２の上面が中間部耐火枠装置８の上端面３０を構成しており、矩形筒部１２１及び下鍔部１２３の下面が中間部耐火枠装置８の下端面８２を構成している。
【００３３】
中間部耐火枠装置８の中空枠体１０７及び弾性体１０９のそれぞれは、少なくとも二分割可能となるように、複数の分割体、本例では、それぞれ二分割体である中空枠体１０７の半割体１０７ａ、１０７ｂ及び弾性体１０９の半割体１０９ａ、１０９ｂで構成されており、下部耐火枠装置８は、これら分割体を連結する連結手段１３１及び１３２と、連結部の隙間１３３及び１３４を封止する封止手段１３５及び１３６とを更に具備している。
【００３４】
連結手段１３１は、特に図７から図１０に詳細に示すように、半割体１０７ａの一方の端面１４１に一体的に形成された一対の鈎部１４２及び１４３と、半割体１０７ａの一方の端面１４１に対面する半割体１０７ｂの一方の端面１４４に形成されており、鈎部１４２及び１４３のそれぞれが嵌合された凹所１４５及び１４６とを具備している。凹所１４５及び１４６の開口の高さ方向の幅は、前記と同様に、鈎部１４２及び１４３のそれぞれの高さ方向の幅よりも若干広く、したがって端面１４１を端面１４４に対して若干相対的に上方向にずらして鈎部１４２及び１４３を開口を介して凹所１４５及び１４６のそれぞれに押し込むことにより鈎部１４２及び１４３を凹所１４５及び１４６のそれぞれに嵌合することができる。
【００３５】
連結手段４２及び９２と同様に半割体１０７ａ及び半割体１０７ｂの他方の端面に設けられた連結手段１３２は、連結手段１３１と同様に形成されている。連結手段１３１及び１３２は、以上のようにして鈎部と凹所との相互の嵌合により半割体１０７ａと半割体１０７ｂとを相互に連結して、中間部耐火枠装置８を形成している。
【００３６】
封止手段１３５は、半割体１０７ａの内面に固着されており、連結部の隙間１３３を越えて、半割体１０７ａに隣接する半割体１０７ｂの内周面まで延びた一対の封止板１５１及び１５２と、封止板１５１及び１５２のそれぞれの端面に対面した端面を有して、半割体１０７ｂの内周面に固着された一対の固定板１５３及び１５４と、封止板１５１及び１５２のそれぞれと固定板１５３及び１５４のそれぞれとの端面間に圧縮されて配された一対の弾性部材１５５及び１５６とを具備している。鈎部１４２及び１４３が凹所１４５及び１４６のそれぞれに嵌合されている際、弾性部材１５５及び１５６は、封止板１５１及び１５２のそれぞれの端面と固定板１５３及び１５４のそれぞれの端面との間において、これらに押圧されて若干圧縮されている。封止手段１３５は、連結部の隙間１３３を封止板１５１及び１５２により実質的に封止して、隙間１３３を介する火気の断熱空間７への進入を阻止する。
【００３７】
封止手段４６及び９６と同様に他方の連結部の隙間１３４を封止するように、半割体１０７ａ及び半割体１０７ｂの他方の端面側に設けられた封止手段１３６は、封止手段１３５と同様に構成されて、連結部の隙間１３４を一対の封止板１５７（他方は図示せず）により実質的に封止して、隙間１３４を介する火気の断熱空間７への進入を阻止する。
【００３８】
封止手段１３５及び１３６の封止板及び固定板はそれぞれ、中空枠体１０７と同様にセラミックのような耐火材からなり、封止手段１３５及び１３６の弾性部材は、弾性体１０９と同様にセラミックファイバ等の若干弾性を有する耐火材からなる。
【００３９】
フランジ１１は、ボルト１７１により上部アンカープレート１７２に、フランジ１２は、ボルト１７３により下部アンカープレート１７４にそれぞれ固着される。上部及び下部アンカープレート１７２及び１７４はそれぞれ、アンカーボルト等により上部及び下部構造物１７５及び１７６に固定されており、これにより上部構造物１７５は、耐火装置２により耐火構造とされた免震装置１によって免震支持される。この場合、中空枠体２３の上面１８１を上部構造物１７５の下面１８２に接着剤等により固着して、上部耐火枠装置４を上部構造物１７５に固定し、弾性体７９の下面１８３を下部構造物１７６の上面１８４に接着剤等により固着して、下部耐火枠装置６を下部構造物１７６に固定してもよい。
【００４０】
以上の耐火装置２により耐火構造とされた免震装置１は、地震が生じて地表２０１が振動すると、図１１に示すように、下部構造物１７６に対して上部構造物１７５を水平方向に相対移動させ、地震振動の上部構造物１７５への伝達を低減し、地震振動による上部構造物１７５の振動エネルギを減衰し、上部構造物１７５を地震から保護する。地震振動がなくなると、積層ゴム体１３の作用により、免震装置１は、図１に示すような元の状態に復帰されるが、この際、積層ゴム体１３の周面に接触した弾性体１０９を具備する中間部耐火枠装置８もまた、積層ゴム体１３により図１に示すように元の位置も戻される。そして、耐火装置２は、免震装置１の積層ゴム体１３が火災等による炎に直接曝されないようにし得ると共に、積層ゴム体１３へ火災等による熱を伝達させないようにし得る結果、火災が生じても積層ゴム体１３のゴム層１４が焼失されたり変形したりして、上部構造物１７５をまともに支持し得なくなるような事態を避けることができる。
【００４１】
加えて、耐火装置２では、中間部耐火枠装置８に対する上部耐火枠装置４及び下部耐火枠装置６のそれぞれの水平変位量は、下部構造物１７６に対する上部構造物１７５の水平方向の相対移動量の１／３となるために、鍔部３６、８６、上鍔部１２２及び下鍔部１２３の水平方向の幅を小さくすることができ、また、鍔部３６、８６、上鍔部１２２及び下鍔部１２３の内周面３７、８７、１２４及び１２５と積層ゴム体１３の周面３８との離間距離を短くすることができ、したがって、上部耐火枠装置４、中間部耐火枠装置８及び下部耐火枠装置６を軽量にし得る上に、比較的小さな領域で免震装置１の周り配置することができ、耐火装置２の設置作業及び除去作業を容易に行うことができる。
【００４２】
上記では、中空枠体２３、７３及び１０７のそれぞれを、矩形筒部を具備して形成したが、これに代えて円筒部を具備して形成してもよい。また、上部耐火枠装置４及び下部耐火枠装置６のぞれぞれに、弾性体と低摩擦部材とを備えたが、中間部耐火枠装置８にこれら弾性体と低摩擦部材とを備えて構成してもよく、更に、当該弾性体を上部耐火枠装置４、中間部耐火枠装置８及び下部耐火枠装置６のいずれか一つの装置のみに備えて構成してもよい。一方、中間部耐火枠装置８の弾性体１０９を省略して、フランジ１０６の環状内周面１０８を積層ゴム体１３の周面３８に直接接触させて、積層ゴム体１３の変形に応じて中間部耐火枠装置８が水平方向に移動されるようにしてもよい。
【００４３】
【発明の効果】
以上のように本発明によれば、中間部耐火枠装置が上部耐火枠装置及び下部耐火枠装置の間にこれらに対して相対的に水平方向に摺動自在に配されているため、比較的小さな領域で免震装置の周りに配置することができ、設置作業及び除去作業を容易に行うことができる。
【図面の簡単な説明】
【図１】本発明の好ましい一実施例の一部断面正面図である。
【図２】図１に示す実施例の正面図である。
【図３】図１に示す実施例の上部耐火枠装置の斜視図である。
【図４】図１に示す実施例の上部耐火枠装置の連結手段及び封止手段の説明図である。
【図５】図１に示す実施例の下部耐火枠装置の斜視図である。
【図６】図１に示す実施例の中間部耐火枠装置の斜視図である。
【図７】図１に示す実施例の中間部耐火枠装置の連結手段及び封止手段の説明図である。
【図８】図１に示す実施例の中間部耐火枠装置の連結手段の説明図である。
【図９】図１に示す実施例の中間部耐火枠装置の封止手段の説明図である。
【図１０】図１に示す実施例の中間部耐火枠装置の連結手段及び封止手段の説明図である。
【図１１】図１に示す実施例の動作説明図である。
【符号の説明】
１  免震装置
２  耐火装置
４  上部耐火枠装置
６  下部耐火枠装置
８  中間部耐火枠装置
【図１】
0003834956.tif 000002
【図２】
0003834956.tif 000003
【図３】
0003834956.tif 000004
【図４】
0003834956.tif 000005
【図５】
0003834956.tif 000006
【図６】
0003834956.tif 000007
【図７】
0003834956.tif 000008
【図８】
0003834956.tif 000009
【図９】
0003834956.tif 000010
【図１０】
0003834956.tif 000011
【図１１】
0003834956.tif 000012